(57)【要約】【課題】容量変化率の増加、フィルムの破損等を防止しつつ、静電容量の増加が図れるフィルムコンデンサを提供する。【解決手段】第１蒸着電極３００における第１中央電極部３０１の第１絶縁マージン部１０１側の端縁３０１ａは、２つのフィルム１００、２００が重なる方向から見て、第２蒸着電極４００の第２中継部４０３における、第２中央電極部４０１との間の光の透過率比が１０％以上１００％未満の領域Ｒ２に位置し、第２蒸着電極４００における第２中央電極部４０１の第２絶縁マージン部２０１側の端縁４０１ａは、２つのフィルム１００、２００が重なる方向から見て、第１蒸着電極３００の第１中継部３０３における、第１中央電極部３０１との間の光の透過率比が１０％以上１００％未満の領域Ｒ２に位置する。【選択図】図２
2019160951.tif 000002
【特許請求の範囲】
【請求項１】
各フィルムの片側のフィルム面または一方のフィルムの両側のフィルム面である第１フィルム面および第２フィルム面にそれぞれ第１電極および第２電極を有する２つのフィルムを、互いに重ねた状態で巻回または積層することにより形成されるコンデンサ本体と、
前記コンデンサ本体の両端面に形成される第１端面電極および第２端面電極と、を備え、
前記第１電極は、
前記第１フィルム面において、前記第１フィルム面の幅方向における一方の端部に設けられた第１絶縁マージン部を除く領域に形成され、
前記第１電極の前記第１絶縁マージン部側の端縁から所定の幅を有する第１中央電極部と、前記第１電極の前記第１絶縁マージン部と反対側の端縁から前記第１中央電極部の幅より小さい幅を有し、且つ、前記第１中央電極部よりも厚みの大きな第１ヘビーエッジ部と、前記第１ヘビーエッジ部と前記第１中央電極部との間を中継し、厚みが徐々に小さくなる第１中継部と、を含み、
前記第２電極は、
前記第２フィルム面において、前記第２フィルム面の幅方向における一方の端部に設けられた第２絶縁マージン部を除く領域に形成され、
前記第２電極の前記第２絶縁マージン部側の端縁から所定の幅を有する第２中央電極部と、前記第２電極の前記第２絶縁マージン部と反対側の端縁から前記第２中央電極部の幅より小さい幅を有し、且つ、前記第２中央電極部よりも厚みの大きな第２ヘビーエッジ部と、前記第２ヘビーエッジ部と前記第２中央電極部との間を中継し、厚みが徐々に小さくなる第２中継部と、を含み、
前記第１ヘビーエッジ部は、前記第１端面電極に接続され、
前記第２ヘビーエッジ部は、前記第２端面電極に接続され、
前記第１電極における前記第１中央電極部の前記第１絶縁マージン部側の端縁は、前記２つのフィルムが重なる方向から見て、前記第２電極の前記第２中継部における、前記第２中央電極部との間の光の透過率比が１０％以上１００％未満の領域に位置し、
前記第２電極における前記第２中央電極部の前記第２絶縁マージン部側の端縁は、前記２つのフィルムが重なる方向から見て、前記第１電極の前記第１中継部における、前記第１中央電極部との間の光の透過率比が１０％以上１００％未満の領域に位置する、
ことを特徴とするフィルムコンデンサ。
【請求項２】
請求項１に記載のフィルムコンデンサにおいて、
前記第１ヘビーエッジ部は、前記第１中央電極部との間の光の透過率比が１０％より小さくなる厚みを有し、
前記第２ヘビーエッジ部は、前記第２中央電極部との間の光の透過率比が１０％より小さくなる厚みを有する、
ことを特徴とするフィルムコンデンサ。
【請求項３】
請求項１または２に記載のフィルムコンデンサにおいて、
前記第１中継部の幅は、前記第１ヘビーエッジ部の幅よりも大きく、
前記第２中継部の幅は、前記第２ヘビーエッジ部の幅よりも大きい、
ことを特徴とするフィルムコンデンサ。
【発明の詳細な説明】
【技術分野】
【０００１】
本発明は、フィルムコンデンサに関する。
【背景技術】
【０００２】
誘電体フィルムの表面に絶縁マージンを残して金属蒸着電極が形成された一対の金属化フィルムを、互いの絶縁マージンがフィルム幅方向反対側に位置するように積層または巻回し、その両端面に電極引出し用のメタリコン電極を形成した金属化フィルムコンデンサであって、一対の金属化フィルムに形成された各金属蒸着電極が誘電体フィルムを介して互いに対向する容量形成部と、メタリコン電極との接続部に設けられ、膜厚が容量形成部に比べて厚いヘビーエッジ部と、を有し、一方および他方の金属蒸着電極の容量形成部の絶縁マージン側の端が、誘電体フィルムを介して他方および一方の金属蒸着電極のヘビーエッジ部から容量形成部にかけて電極表面が斜面となっている領域に対向する金属化フィルムコンデンサが特許文献１に記載されている。
【先行技術文献】
【特許文献】
【０００３】
【特許文献１】特許第６２１１２５５号公報
【発明の概要】
【発明が解決しようとする課題】
【０００４】
一方および他方の金属蒸着電極の容量形成部の絶縁マージン側の端を、特許文献１のように、他方および一方の金属蒸着電極の容量形成部を超えてヘビーエッジ部へと続く斜面の位置までの延ばす、あるいは、さらに斜面を超えてヘビーエッジ部の位置まで延ばすことにより、容量形成部の幅を大きくすることができる。これは、他方および一方の金属蒸着電極では、一方および他方の金属蒸着電極の容量形成部に対向する斜面あるいはヘビーエッジ部の部分も容量形成部となるためである。これにより、金属化フィルムコンデンサの静電容量（電気容量）を大きくできる。
【０００５】
金属化フィルムコンデンサは、互いに対向する金属蒸着電極の容量形成部において絶縁破壊が起きると、絶縁破壊した個所の周囲の電極部分が飛散することによって絶縁性を回復させるという自己回復性（セルフヒーリング性）を有する。
【０００６】
上記のように、斜面あるいはヘビーエッジ部の部分が容量形成部の一部となった場合、この部分でも絶縁破壊が起きることになるが、電極部分はその膜厚が大きいと飛散しにくくなるため、この部分で絶縁破壊が起きた場合、電極部分が飛散せず、絶縁性の回復が図れない虞がある。この場合、金属化フィルムコンデンサの容量変化率が大きくなることが懸念される。
【０００７】
一方で、自己回復性（セルフヒーリング性）を考慮した場合、ヘビーエッジ部の膜厚をあまり大きくしないようにすれば良いが、ヘビーエッジ部の膜厚が小さくなると、ヘビーエッジ部とメタリコン電極との間の接続性が悪くなりやすい。これにより、金属蒸着電極とメタリコン電極との接続が外れ、金属化フィルムコンデンサの通電時に、接続が外れた部分で発熱が生じ、その熱で誘電体フィルムが破損してしまう、ということが懸念される。
【０００８】
そこで、本発明は、容量変化率の増加を抑制しつつ静電容量の増加が図れるフィルムコンデンサを提供することを目的とする。
【課題を解決するための手段】
【０００９】
本発明の主たる態様に係るフィルムコンデンサは、各フィルムの片側のフィルム面または一方のフィルムの両側のフィルム面である第１フィルム面および第２フィルム面にそれぞれ第１電極および第２電極を有する２つのフィルムを、互いに重ねた状態で巻回または積層することにより形成されるコンデンサ本体と、前記コンデンサ本体の両端面に形成される第１端面電極および第２端面電極と、を備える。ここで、前記第１電極は、前記第１フィルム面において、前記第１フィルム面の幅方向における一方の端部に設けられた第１絶縁マージン部を除く領域に形成され、前記第１電極の前記第１絶縁マージン部側の端縁から所定の幅を有する第１中央電極部と、前記第１電極の前記第１絶縁マージン部と反対側の端縁から前記第１中央電極部の幅より小さい幅を有し、且つ、前記第１中央電極部よりも厚みの大きな第１ヘビーエッジ部と、前記第１ヘビーエッジ部と前記第１中央電極部との間を中継し、厚みが徐々に小さくなる第１中継部と、を含む。また、前記第２電極は、前記第２フィルム面において、前記第２フィルム面の幅方向における一方の端部に設けられた第２絶縁マージン部を除く領域に形成され、前記第２電極の前記第２絶縁マージン部側の端縁から所定の幅を有する第２中央電極部と、前記第２電極の前記第２絶縁マージン部と反対側の端縁から前記第２中央電極部の幅より小さい幅を有し、且つ、前記第２中央電極部よりも厚みの大きな第２ヘビーエッジ部と、前記第２ヘビーエッジ部と前記第２中央電極部との間を中継し、厚みが徐々に小さくなる第２中継部と、を含む。さらに、前記第１ヘビーエッジ部は、前記第１端面電極に接続され、前記第２ヘビーエッジ部は、前記第２端面電極に接続される。そして、前記第１電極における前記第１中央電極部の前記第１絶縁マージン部側の端縁は、前記２つのフィルムが重なる方向から見て、前記第２電極の前記第２中継部における、前記第２中央電極部との間の光の透過率比が１０％以上１００％未満の領域に位置し、前記第２電極における前記第２中央電極部の前記第２絶縁マージン部側の端縁は、前記２つのフィルムが重なる方向から見て、前記第１電極の前記第１中継部における、前記第１中央電極部との間の光の透過率比が１０％以上１００％未満の領域に位置する。
【発明の効果】
【００１０】
本発明によれば、容量変化率の増加を抑制しつつ静電容量の増加が図れるフィルムコンデンサを提供することができる。
【００１１】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００１２】
【図１】図１（ａ）は、実施の形態に係る、フィルムコンデンサの斜視図であり、図１（ｂ）は、実施の形態に係る、図１（ａ）のＡ−Ａ´線で切断された、フィルムコンデンサの縦断面図である。
【図２】図２（ａ）は、実施の形態に係る、第１フィルムおよび第２フィルムの一部が巻回された状態のコンデンサ本体の平面図であり、図２（ｂ）は、実施の形態に係る、幅方向に切断されたコンデンサ本体の断面図である。
【図３】図３（ａ）は、実施の形態に係る、第１蒸着電極の詳細な構成を示す第１フィルムおよび第１蒸着電極の部分平面図であり、図３（ｂ）は、実施の形態に係る、第２蒸着電極の詳細な構成を示す第２フィルムおよび第２蒸着電極の部分平面図である。
【図４】図４は、実施の形態に係る、第１中央電極部の端縁（第２中央電極部の端縁）の位置を、第２中継部（第１中継部）における第２中央電極部（第１中央電極部）との間の光の透過率比が５％の位置から２０％の位置の範囲で変化させたときのフィルムコンデンサの容量変化率を示す図である。
【図５】図５は、変更例に係る、コンデンサ本体について説明するための図である。
【発明を実施するための形態】
【００１３】
以下、本発明の実施の形態について図を参照して説明する。
【００１４】
本実施の形態において、第１フィルム１００および第２フィルム２００が、特許請求の範囲に記載の「フィルム」に対応する。また、フィルム面１００ａが、特許請求の範囲に記載の「第１フィルム面」に対応する。さらに、フィルム面２００ａが、特許請求の範囲に記載の「第２フィルム面」に対応する。さらに、第１蒸着電極３００が、特許請求の範囲に記載の「第１電極」に対応する。さらに、第２蒸着電極４００が、特許請求の範囲に記載の「第２電極」に対応する。
【００１５】
ただし、上記記載は、あくまで、特許請求の範囲の構成と実施の形態の構成とを対応付けることを目的とするものであって、上記対応付けによって特許請求の範囲に記載の発明が実施の形態の構成に何ら限定されるものではない。
【００１６】
図１（ａ）は、本実施の形態に係る、フィルムコンデンサ１の斜視図であり、図１（ｂ）は、本実施の形態に係る、図１（ａ）のＡ−Ａ´線で切断された、フィルムコンデンサ１の縦断面図である。
【００１７】
フィルムコンデンサ１は、コンデンサ本体１０と、外装フィルム２０と、第１端面電極３０と、第２端面電極４０とを備える。フィルムコンデンサ１は、断面が長円である扁平な円柱形状に形成される。
【００１８】
コンデンサ本体１０は、蒸着電極が形成された２枚の誘電体フィルムを重ねた状態で巻回することにより構成される。コンデンサ本体１０の詳細な構成については、追って説明する。
【００１９】
外装フィルム２０は、コンデンサ本体１０の外周面に複数回（複数ターン）巻かれる。これにより、コンデンサ本体１０の外周面は、複数層の外装フィルム２０で被覆され、コンデンサ本体１０の傷つき、破損などが防止される。外装フィルム２０の材質として、たとえば、ポリプロピレン（ＰＰ）、ポリエチレン・テレフタレート（ＰＥＴ）、ポリエチレン・ナフタレート（ＰＥＮ）などを挙げることができる。
【００２０】
第１端面電極３０および第２端面電極４０は、それぞれ、コンデンサ本体１０の第１端面１１および第２端面１２に、アルミニウム、亜鉛、マグネシウム等の金属を溶射することにより形成される。第１端面電極３０および第２端面電極４０には、フィルムコンデンサ１から電気を引き出すため、バスバー、リード線などの引き出し端子（図示せず）が接続される。
【００２１】
次に、コンデンサ本体１０の構成について、詳細に説明する。
【００２２】
なお、後述する第１蒸着電極３００および第２蒸着電極４００の厚み（膜厚）は、極めて小さく、実際に測定することがむずかしいため、光の透過率を用いて表される。たとえば、透過率の測定に、測定器として、キーエンス製の透過型レーザ判別センサＩＢ−０１が用いられ、その測定条件が、レーザ波長が６６０ｎｍ、スポット系がφ１．０ｍｍとされる。
【００２３】
図２（ａ）は、本実施の形態に係る、第１フィルム１００および第２フィルム２００の一部が巻回された状態のコンデンサ本体１０の平面図であり、図２（ｂ）は、本実施の形態に係る、幅方向に切断されたコンデンサ本体１０の断面図である。図３（ａ）は、本実施の形態に係る、第１蒸着電極３００の詳細な構成を示す第１フィルム１００および第１蒸着電極３００の部分平面図であり、図３（ｂ）は、本実施の形態に係る、第２蒸着電極４００の詳細な構成を示す第２フィルム２００および第２蒸着電極４００の部分平面図である。
【００２４】
コンデンサ本体１０は、第１フィルム１００と、第２フィルム２００と、第１蒸着電極３００と、第２蒸着電極４００とを含む。
【００２５】
第１フィルム１００と第２フィルム２００は、第１フィルム１００が内側（上側）となり、第２フィルム２００が外側（下側）となるように重ねられた状態で巻回される。第１フィルム１００および第２フィルム２００は、ポリプロピレン（ＰＰ）、ポリエチレン・テレフタレート（ＰＥＴ）、ポリエチレン・ナフタレート（ＰＥＮ）などの樹脂材料からなる透明な誘電体フィルムである。第１フィルム１００と第２フィルム２００は、ほぼ等しい幅寸法を有する。
【００２６】
第１フィルム１００の一方（上側）のフィルム面１００ａには、その幅方向における一方の端部に、その長手方向に延びる第１絶縁マージン部１０１が形成される。第１フィルム１００のフィルム面１００ａと同じ方向を向く第２フィルム２００の一方（上側）のフィルム面２００ａには、その幅方向における第１フィルム１００の一方の端部とは反対側の端部に、その長手方向に延びる第２絶縁マージン部２０１が形成される。第１絶縁マージン部１０１および第２絶縁マージン部２０１は、金属、即ちアルミニウム含有層が蒸着されていないマージン部分である。
【００２７】
第１蒸着電極３００は、アルミニウム含有層であり、フィルム面１００ａにおいて、第１絶縁マージン部１０１を除く領域に膜状に形成される。アルミニウム含有層は、たとえば、アルミニウムまたはアルミニウムとマグネシウム等の金属との合金の蒸着により形成される。第１蒸着電極３００は、第１中央電極部３０１と、第１ヘビーエッジ部３０２と、第１中継部３０３とを含む。
【００２８】
第１中央電極部３０１は、第１蒸着電極３００の第１絶縁マージン部１０１側の端縁から所定の幅Ｗ１を有する。第１中央電極部３０１は、その厚みＴ１が、たとえば、光の透過率がほぼ１７．５％で表される厚みを有する。
【００２９】
第１ヘビーエッジ部３０２は、第１蒸着電極３００の第１絶縁マージン部１０１と反対側の端縁から第１中央電極部３０１の幅Ｗ１より小さい幅Ｗ２を有する。また、第１ヘビーエッジ部３０２は、その厚みＴ２が第１中央電極部３０１の厚みＴ１よりも大きい。より具体的には、第１ヘビーエッジ部３０２の厚みＴ２は、第１中央電極部３０１との間の透過率比（（第１ヘビーエッジ部３０２の透過率÷第１中央電極部３０１の透過率）×１００）が１０％よりも小さくなる厚み、たとえば、透過率比が５％程度となる厚みとされる。第１ヘビーエッジ部３０２は、第１端面電極３０に接続される。
【００３０】
第１中継部３０３は、第１ヘビーエッジ部３０２と第１中央電極部３０１との間を中継し、第１ヘビーエッジ部３０２側から第１中央電極部３０１側へ厚みが徐々に小さくなる。第１中継部３０３の幅Ｗ３は、第１ヘビーエッジ部３０２の幅Ｗ２よりも大きくされる。
【００３１】
図３（ａ）に示すように、第１蒸着電極３００には、第１フィルム１００の長手方向に延びる、アルミニウム含有層が蒸着されていない（電極が存在しない）長手方向スリット部１０２と、第１フィルム１００の幅方向に延びる、アルミニウム含有層が蒸着されていない（電極が存在しない）幅方向スリット部１０３とが格子状に形成される。第１蒸着電極３００には、これら長手方向スリット部１０２と幅方向スリット部１０３とにより、複数の電極ブロック３０４が形成される。各電極ブロック３０４は、長手方向スリット部１０２と幅方向スリット部１０３に設けられたヒューズパターン３０５により接続される。ヒューズパターン３０５のパターン幅は、たとえば、０．１ｍｍ程度に設定される。
【００３２】
なお、第１蒸着電極３００は、蒸着のバラツキにより、場所によって僅かに厚みが異なってくるので、第１蒸着電極３００（第１中央電極部３０１、第１ヘビーエッジ部３０２および第１中継部３０３）の厚み（膜厚）は、実際には、複数の場所での厚みの平均値となる。第２蒸着電極４００（第２中央電極部４０１、第２ヘビーエッジ部４０２および第２中継部４０３）の厚み（膜厚）についても同様である。
【００３３】
第２蒸着電極４００は、アルミニウム含有層であり、フィルム面２００ａにおいて、第２絶縁マージン部２０１を除く領域に膜状に形成される。アルミニウム含有層は、たとえば、アルミニウムまたはアルミニウムとマグネシウム等の金属との合金の蒸着により形成される。第２蒸着電極４００は、第２中央電極部４０１と、第２ヘビーエッジ部４０２と、第２中継部４０３とを含む。
【００３４】
第２中央電極部４０１は、第２蒸着電極４００の第２絶縁マージン部２０１側の端縁から所定の幅Ｗ１を有する。第２中央電極部４０１は、第１中央電極部３０１と同じ厚みを有する。
【００３５】
第２ヘビーエッジ部４０２は、第２蒸着電極４００の第２絶縁マージン部２０１と反対側の端縁から第２中央電極部４０１の幅Ｗ１より小さい幅Ｗ２を有する。また、第２ヘビーエッジ部４０２は、その厚みＴ２が第２中央電極部４０１の厚みＴ１よりも大きい。より具体的には、第２ヘビーエッジ部４０２の厚みＴ２は、第２中央電極部４０１との間の透過率比（（第２ヘビーエッジ部４０２の透過率÷第２中央電極部４０１の透過率）×１００）が１０％よりも小さくなる厚み、たとえば、透過率比が５％程度となる厚みとされる。第２ヘビーエッジ部４０２は、第２端面電極４０に接続される。
【００３６】
第２中継部４０３は、第２ヘビーエッジ部４０２と第２中央電極部４０１との間を中継し、第２ヘビーエッジ部４０２側から第２中央電極部４０１側へ厚みが徐々に小さくなる。第２中継部４０３の幅Ｗ３は、第２ヘビーエッジ部４０２の幅Ｗ２よりも大きくされる。
【００３７】
図３（ｂ）に示すように、第２蒸着電極４００には、第１蒸着電極３００と同様、長手方向スリット部２０２と幅方向スリット部２０３とにより、複数の電極ブロック４０４が形成される。各電極ブロック４０４は、長手方向スリット部２０２と幅方向スリット部２０３に設けられたヒューズパターン４０５により接続される。ヒューズパターン４０５のパターン幅は、第１中央電極部３０１のヒューズパターン３０５のパターン幅と同じである。
【００３８】
コンデンサ本体１０は、第１蒸着電極３００と第２蒸着電極４００とが重なり合う領域、即ち、第１中央電極部３０１の第１絶縁マージン部１０１側の端縁３０１ａから第２中央電極部４０１の第２絶縁マージン部２０１側の端縁４０１ａまでの範囲が有効電極領域Ｒ１となる。有効電極領域Ｒ１はフィルムコンデンサ１の静電容量に寄与し、有効電極領域Ｒ１が大きいほど、静電容量が大きくなる。
【００３９】
図２（ｂ）に示すように、コンデンサ本体１０において、第１中央電極部３０１の第１絶縁マージン部１０１側の端縁３０１ａは、第１フィルム１００と第２フィルム２００とが重なる方向から見て、第２中継部４０３における、第２中央電極部４０１との間の光の透過率比（（第２中継部４０３の透過率÷第２中央電極部４０１の透過率）×１００）が１０％以上１００％未満となる領域Ｒ２、特に、本実施の形態では、透過率比が１０％となる地点に位置する。また、第２中央電極部４０１の第２絶縁マージン部２０１側の端縁４０１ａは、第１フィルム１００と第２フィルム２００とが重なる方向から見て、第１中継部３０３における、第１中央電極部３０１との間の光の透過率比（（第１中継部３０３の透過率÷第１中央電極部３０１の透過率）×１００）が１０％以上１００％未満となる領域Ｒ２、特に、本実施の形態では、透過率比が１０％となる地点に位置する。
【００４０】
フィルムコンデンサ１の通電時に、有効電極領域Ｒ１内で絶縁破壊が起こると、絶縁破壊した個所の周囲の第１蒸着電極３００の部分および第２蒸着電極４００の部分が、そのときに増加した電流によって飛散することで、絶縁性が回復する。このような自己回復性（セルフヒーリング性）によって、有効電極領域Ｒ１内で絶縁破壊が起きたときにフィルムコンデンサ１が短絡に至りにくくなり、フィルムコンデンサ１の保護が図られる。さらに、絶縁破壊の規模が大きい等の原因により、自己回復性が働く以前に大電流が流れると、第１蒸着電極３００および第２蒸着電極４００では、大電流が流れた電極ブロック３０４、４０４のヒューズパターン３０５、４０５が溶断する。これにより、フィルムコンデンサ１が短絡に至りにくくなり、フィルムコンデンサ１の保護が図られる。
【００４１】
なお、自己回復性（セルフヒーリング性）が働くときに失われる有効電極領域Ｒ１内の電極部分は僅かであり、このため、フィルムコンデンサ１の静電容量の減少はわずかとなる。一方で、ヒューズパターン３０５、４０５が溶断したときは、電極ブロック３０４、４０４単位で電極部分が失われるため、フィルムコンデンサ１の静電容量の減少は、自己回復性（セルフヒーリング性）による場合よりも大きくなりやすい。
【００４２】
図４は、本実施の形態に係る、第１中央電極部３０１の端縁３０１ａ（第２中央電極部４０１の端縁４０１ａ）の位置を、第２中継部４０３（第１中継部３０３）における第２中央電極部４０１（第１中央電極部３０１）との間の光の透過率比が５％の位置から２０％の位置の範囲で変化させたときのフィルムコンデンサ１の容量変化率を示す図である。図４のグラフは、各透過率比において、四角、三角、ひし形等の点で示される複数の測定値の平均を取り、これら平均値を線で結んだものである。
【００４３】
なお、容量変化率は、以下の式で表される。
容量変化率＝（（試験後容量−初期値容量）／初期値容量）×１００
試験条件は、温度：１２０℃、試験電圧：ＤＣ４５０Ｖ、試験時間：１５００時間とされる。
【００４４】
図４から明らかなように、フィルムコンデンサ１が、第１中央電極部３０１が第２中継部４０３の透過率比が１０％より小さくなる地点まで第２ヘビーエッジ部４０２側に延ばされ、第２中央電極部４０１が第１中継部３０３の透過率比が１０％より小さくなる地点まで第１ヘビーエッジ部３０２側に延ばされるような構成とされた場合、容量変化率がマイナスの大きな値を取る、即ち、静電容量の減少率が大きくなる。これは、次のような理由によると推測される。即ち、第２中継部４０３（第１中継部３０３）における透過率比が１０％より小さくなる地点では、その厚みが、自己回復特性が得られる限界値を超えるため、その地点まで第１中央電極部３０１（第２中央電極部４０１）が延ばされた場合、即ち、その地点が有効電極領域Ｒ１に含まれた場合に、その地点で絶縁破壊が起こると、自己回復性が働く以前に電極ブロック３０４、４０４のヒューズパターン３０５、４０５の溶断が生じ、これが静電容量の大きな減少、即ち、容量変化率の大きな増加につながってしまうのである、と推測される。
【００４５】
なお、図４において、第１中央電極部３０１の端縁３０１ａおよび第２中央電極部４０１の端縁４０１ａの位置が、透過率比が１０％の位置から２０％の位置の範囲で容量変化率が僅かにプラスの値を取るのは、フィルムコンデンサ１の使用初期には、フィルムの層間の距離が縮まることで、未使用時よりも静電容量が増えるためである。
【００４６】
また、第１蒸着電極３００および第２蒸着電極４００は、その材質が異なれば、同じ厚さでも光の透過率が変わってくるが、第１中継部３０３と第１中央電極部３０１との間の透過率比および第２中継部４０３と第２中央電極部４０１との間の透過率比は、材質が異なっても同じとなる。
【００４７】
本実施の形態では、コンデンサ本体１０において、第１中央電極部３０１の端縁３０１ａが、第２中継部４０３における光の透過率比が１０％以上１００％未満となる領域Ｒ２、特に、透過率比が１０％となる地点に位置し、第２中央電極部４０１の端縁４０１ａが、第１中継部３０３における光の透過率比が１０％以上１００％未満となる領域Ｒ２、特に、透過率比が１０％となる地点に位置する。これにより、フィルムコンデンサ１の容量変化率を小さく保つことができる。さらには、有効電極領域Ｒ１を、第１中央電極部３０１と第２中央電極部４０１との重なり部分のみならず、第１中央電極部３０１と第２中継部４０３との重なり部分および第２中央電極部４０１と第１中継部３０３との重なり部分まで拡げることができるので、コンデンサ本体１０の幅を拡げることなく、フィルムコンデンサ１の静電容量を大きくすることができる。
【００４８】
さらに、第１ヘビーエッジ部３０２の厚みＴ２が、第１中央電極部３０１との間の透過率比が１０％よりも小さくなる厚みとされ、第２ヘビーエッジ部４０２の厚みＴ２が、第２中央電極部４０１との間の透過率比が１０％よりも小さくなる厚みとされているので、第１ヘビーエッジ部３０２および第２ヘビーエッジ部４０２の厚みＴ２を十分に大きくすることができ、第１ヘビーエッジ部３０２と第１端面電極３０との接続性および第２ヘビーエッジ部４０２と第２端面電極４０との接続性を良くすることができる。これにより、第１蒸着電極３００と第１端面電極３０との接続の外れおよび第２蒸着電極４００と第２端面電極４０とのとの接続の外れが防止でき、フィルムコンデンサ１の通電時に、接続が外れた部分で発熱が生じ、その熱で第１フィルム１００および第２フィルム２００が破損してしまうことを防止できる。
【００４９】
さらに、第１中継部３０３の幅Ｗ３が第１ヘビーエッジ部３０２の幅Ｗ２よりも大きくされ、第２中継部４０３の幅Ｗ３が第２ヘビーエッジ部４０２の幅Ｗ２よりも大きくされているので、第１中継部３０３および第２中継部４０３における光の透過率比が１０％以上１００％未満の領域Ｒ２が長くなる。これにより、第１中央電極部３０１および第２中央電極部４０１を第１ヘビーエッジ部３０２側および第２ヘビーエッジ部４０２側へ長く延ばすことができるので、有効電極領域Ｒ１を大きくでき、フィルムコンデンサ１の静電容量を大きくできる。
【００５０】
以上、本発明の実施の形態について説明したが、本発明は、上記実施の形態に限定されるものではなく、また、本発明の適用例も、上記実施の形態の他に、種々の変更が可能である。
【００５１】
たとえば、上記実施の形態では、コンデンサ本体１０において、第１中央電極部３０１の端縁３０１ａ（第２中央電極部４０１の端縁４０１ａ）が、第２中継部４０３（第１中継部３０３）における光の透過率比が１０％となる地点に位置するよう、コンデンサ本体１０が構成された。しかしながら、第２中継部４０３（第１中継部３０３）における光の透過率比が１０％以上１００％未満となる領域Ｒ２内であれば、透過率比が１０％となる地点以外の地点に、第１中央電極部３０１の端縁３０１ａ（第２中央電極部４０１の端縁４０１ａ）が位置するようにコンデンサ本体１０が構成されてもよい。
【００５２】
また、上記実施の形態では、第１フィルム１００の一方（上側）のフィルム面１００ａに第１蒸着電極３００が形成され、第２フィルム２００の一方（上側）のフィルム面２００ａに第２蒸着電極４００が形成されるように、コンデンサ本体１０が構成された。しかしながら、図５に示すように、第１フィルム１００の一方（上側）のフィルム面１００ａに第１絶縁マージン部１０１を除いて第１蒸着電極３００が形成され、第１フィルム１００の他方（下側）のフィルム面１００ｂに第２絶縁マージン部１０４を除いて第２蒸着電極４００が形成されるように、コンデンサ本体１０が構成されてもよい。この場合、フィルム面１００ｂが、特許請求の範囲に記載の「第２フィルム面」に対応する。
【００５３】
さらに、上記実施の形態では、第１中継部３０３の幅Ｗ３が第１ヘビーエッジ部３０２の幅Ｗ２よりも大きくされ、第２中継部４０３の幅Ｗ３が第２ヘビーエッジ部４０２の幅Ｗ２よりも大きくされた。しかしながら、第１中継部３０３の幅Ｗ３が第１ヘビーエッジ部３０２の幅Ｗ２以下の大きさとされ、第２中継部４０３の幅Ｗ３が第２ヘビーエッジ部４０２の幅Ｗ２以下の大きさとされてもよい。
【００５４】
さらに、上記実施の形態では、コンデンサ本体１０が、第１フィルム１００と第２フィルム２００とが巻回されることにより構成されるが、これに限られない。即ち、図１（ａ）ないし図２（ｂ）において、第１フィルム１００および第２フィルム２００が巻回された状態のコンデンサ本体１０に替えて、第１フィルム１００および第２フィルム２００が交互に積層された状態のコンデンサ本体１０としてもよい。その場合、便宜上、第１端面電極３０と第２端面電極４０間を結ぶ方向を幅方向、これに垂直な方向を長手方向とする。
【００５５】
さらに、上記実施の形態では、図３（ａ）および（ｂ）のように、第１蒸着電極３００および第２蒸着電極４００が、格子状に形成された長手方向スリット部１０２、２０２と幅方向スリット部１０３、２０３とにより、複数の電極ブロック３０４、４０４に区切られた。しかしながら、第１蒸着電極３００および第２蒸着電極４００は、長手方向スリット部１０２、２０２と幅方向スリット部１０３、２０３とを有さず、複数の電極ブロック３０４、４０４に区切られない構成、即ち、第１絶縁マージン部１０１および第２絶縁マージン部２０１を除いて全面ベタパターンに電極が形成される構成とされてもよい。さらに、第１蒸着電極３００および第２蒸着電極４００は、複数の電極ブロック３０４、４０４とベタパターンとが組み合わされた構成とされてもよい。
【００５６】
この他、本発明の実施の形態は、特許請求の範囲に示された技術的思想の範囲内において、適宜、種々の変更が可能である。
【産業上の利用可能性】
【００５７】
本発明は、各種電子機器、電気機器、産業機器、車両の電装等に使用されるフィルムコンデンサに有用である。
【符号の説明】
【００５８】
１  フィルムコンデンサ
１０  コンデンサ本体
３０  第１端面電極
４０  第２端面電極
１００  第１フィルム（フィルム）
１０１  第１絶縁マージン部
１００ａ  フィルム面（第１フィルム面）
２００  第２フィルム（フィルム）
２０１  第２絶縁マージン部
２００ａ  フィルム面（第２フィルム面）
３００  第１蒸着電極（第１電極）
３０１  第１中央電極部
３０１ａ  端縁
３０２  第１ヘビーエッジ部
３０３  第１中継部
４００  第２蒸着電極（第２電極）
４０１  第２中央電極部
４０１ａ  端縁
４０２  第２ヘビーエッジ部
４０３  第２中継部
【図１】
2019160951.tif 000003
【図２】
2019160951.tif 000004
【図３】
2019160951.tif 000005
【図４】
2019160951.tif 000006
【図５】
2019160951.tif 000007